(57)【要約】【課題】ドラム濃縮機のろ過効率を向上する。【解決手段】ドラム濃縮機１では、汚泥がドラムスクリーン２の内部を移動する際に、ドラムスクリーン２の周壁（区画Ｒ１の周壁）、第１隔壁６（区画Ｒ２の周壁）、及び、第２隔壁７（区画Ｒ３の周壁）が汚泥と接触する。第１隔壁６及び第２隔壁７はろ過機能を有するため、汚泥のろ過に寄与する部材の総表面積が増加する。このため、区画Ｒ２及び区画Ｒ３に導入された汚泥のろ過を第１隔壁６及び第２隔壁７で行うことができ、従来ドラムスクリーン２の周壁のみでろ過をしていた場合と比較して、ろ過効率の向上が達成される。【選択図】図３
2013208518.tif 000002
【特許請求の範囲】
【請求項１】
周壁がろ過機能を有する部材で形成され、軸線方向の一方側から導入された処理対象物を回転しながらろ過して他方側に排出する筒状のドラムスクリーンと、
ろ過機能を有する部材で形成され、前記ドラムスクリーンの内部を複数の区画に分割するように当該ドラムスクリーンの軸線方向に沿って当該設けられた仕切壁と、
を備えるドラム濃縮機。
【請求項２】
前記仕切壁は、前記軸線方向に沿って延びる筒状の第１の仕切壁を含む請求項１記載のドラム濃縮機。
【請求項３】
前記仕切壁は、平板状の第２の仕切壁を含む請求項１又は２記載のドラム濃縮機。
【請求項４】
前記仕切壁における上流側の端部の位置は、前記ドラムスクリーンの周壁の上流側の端部よりも下流側に位置する請求項１〜３のいずれか一項に記載のドラム濃縮機。
【請求項５】
前記処理対象物を導入する導入管を備え、
前記導入管は、前記複数の区画のそれぞれに対して設けられている請求項１〜４のいずれか一項に記載のドラム濃縮機。
【発明の詳細な説明】
【技術分野】
【０００１】
本発明は、ドラム濃縮機に関する。
【背景技術】
【０００２】
従来、汚泥をろ過し濃縮する汚泥濃縮装置として、例えば、ろ過機能を有する部材からなる筒状のドラムスクリーンの内部に汚泥を導入し、これを回転させることで、汚泥を出口側に送りながら汚泥をろ過濃縮する汚泥濃縮装置が知られている（例えば、特許文献１参照）。
【先行技術文献】
【特許文献】
【０００３】
【特許文献１】特開２００９−２４０９０９号公報
【発明の概要】
【発明が解決しようとする課題】
【０００４】
ここで、上記の汚泥濃縮装置においては、例えば、近年の処理用の増加の要求に伴い、さらなるろ過効率の向上が求められている。
【０００５】
本発明は上記を鑑みてなされたものであり、ろ過効率が向上されたドラム濃縮機を提供することを目的とする。
【課題を解決するための手段】
【０００６】
上記目的を達成するため、本発明に係るドラム濃縮機は、周壁がろ過機能を有する部材で形成され、軸線方向の一方側から導入された処理対象物を回転しながらろ過して他方側に排出する筒状のドラムスクリーンと、ろ過機能を有する部材で形成され、前記ドラムスクリーンの内部を複数の区画に分割するように当該ドラムスクリーンの軸線方向に沿って当該設けられた仕切壁と、を備えることを特徴とする。
【０００７】
上記のドラム濃縮機によれば、ろ過機能を有すると共にドラムスクリーンの内部を複数の区画に分割する仕切壁を備えることにより、ろ過に寄与する部材の総表面積が大きくなり、ろ過機能を有する仕切壁と処理対象物とが接触する領域が増加する。この結果、ろ過効率の向上が達成される。
【０００８】
ここで、上記作用を効果的に奏する構成として、具体的には、仕切壁は、前記軸線方向に沿って延びる筒状の第１の仕切壁を含む態様が挙げられる。
【０００９】
また、前記仕切壁は、平板状の第２の仕切壁を含む態様であってもよい。
【００１０】
また、前記仕切壁における上流側の端部は、前記ドラムスクリーンの周壁の上流側の端部よりも下流側に位置する態様とすることもできる。
【００１１】
上記のように、仕切壁の上流側の端部がドラムスクリーンの周壁の上流側の端部よりも下流側に位置することにより、導入量に応じてドラムスクリーン内の各区画へ処理対象物を好適に導入することが可能となる。
【００１２】
また、前記処理対象物を導入する導入管を備え、前記導入管は、前記複数の区画のそれぞれに対して設けられている態様としてもよい。
【００１３】
上記のように、ドラムスクリーン内の各区画に対応した導入管を備えることにより、各区画への処理対象物の導入をより効率よく行うことができる。
【発明の効果】
【００１４】
本発明によれば、ろ過効率が向上されたドラム濃縮機が提供される。
【図面の簡単な説明】
【００１５】
【図１】本発明の実施形態に係るドラム濃縮機を示す側面図である。
【図２】図１中のII-II矢視図である。
【図３】図１のドラム濃縮機の内部を説明する図であり、図２中のIII-III矢視図である。
【図４】本発明のドラム濃縮機の第１の変形例を示す図であり、図２に対応する矢視図である。
【図５】本発明のドラム濃縮機の第２の変形例を示す図であり、図２に対応する矢視図である。
【発明を実施するための形態】
【００１６】
以下、添付図面を参照して、本発明を実施するための形態を詳細に説明する。なお、図面の説明においては同一要素には同一符号を付し、重複する説明を省略する。
【００１７】
図１は、本発明の実施形態に係るドラム濃縮機を示す側面図、図２は、図１中のII-II矢視図、図３は、図２中のIII-III矢視図である。図１〜３に示すように、ドラム濃縮機１は、例えば下水等に含まれる汚泥をろ過して濃縮するものである。このドラム濃縮機１は、ドラムスクリーン２、第１導入管３、第２導入管４、第３導入管５を備えている。
【００１８】
ドラムスクリーン２は、筒状形状を呈しており、汚泥を貯留する混和槽６から供給され軸線Ｒ方向の一方側（図１，３において左側）から内部に導入された汚泥を回転しながらろ過し、他方側（図１，３において右側）から排出する。ドラムスクリーン２は、直径が例えば６００〜１２００ｍｍ程度とされ、軸線Ｒ方向の長さが例えば直径の３倍程度とされる。また、ドラムスクリーン２はろ過機能を有する部材により構成される。本実施形態に係るドラムスクリーン２は、軸線Ｒ方向に延びるウェッジワイヤ２ａを円周方向に沿って多数並設し、これらを複数の補強材２ｂにより束ねることで形成される。図２に示すように、各ウェッジワイヤ２ａは、軸線方向視において断面が略三角形状であり、隣接するウェッジワイヤ２ａ，２ａ同士の間には所定の隙間が設けられ、この隙間がろ過部２ｃとして機能し、ろ液が外部へ排出される。
【００１９】
図1に示すように、ドラムスクリーン２は、水平面からなる土台Ｇに対する軸線の角度θが調節可能とされている。ここでは、汚泥の流路において上流側となる一方側が、下流側となる他方側よりも上方に位置するように、例えば１．５〜４．５°程度傾斜して設けられる。これにより、ドラムスクリーン２が水平面Ｇに対して略平行に設けられている場合、すなわち、θ＝０の場合に比べて、汚泥がドラムスクリーン２を通過する速度が上昇され、汚泥の処理量が増加する。なお、上流側が下流側よりも下方に位置するようにθ＜０とし、汚泥濃縮を優先させることもできる。
【００２０】
また、ドラムスクリーン２は、図２及び図３に示すように、内部に軸線Ｒ方向に沿って延びる筒状の第１隔壁６（第１の仕切壁）と第２隔壁７（第１の仕切壁）とが設けられる。第１隔壁６及び第２隔壁７は、ドラムスクリーン２の内部を３つの区画に分割するため仕切壁である。第１隔壁６及び第２隔壁７は、図２に示すようにドラムスクリーン２の軸線Ｒを中心として、内側から、第２隔壁７、第１隔壁６の順になるように同心円状に配置される。第１隔壁６は、例えば、ドラムスクリーン２の周壁と同様に多数のウェッジワイヤ６ａを並設し、これを複数の補強材６ｂにより補強することで形成することができる。また、第２隔壁７についても、例えば、ドラムスクリーン２の周壁と同様に複数のウェッジワイヤ７ａ及び複数の補強材７ｂにより形成することができる。このような構成であることにより、第１隔壁６及び第２隔壁７はドラムスクリーン２の周壁と同様にろ過機能を有する。
【００２１】
第１隔壁６及び第２隔壁７がドラムスクリーン２の内部に設けられることで、ドラムスクリーン２の内部において、ドラムスクリーン２の周壁と第１隔壁６との間に区画Ｒ１が、第１隔壁６と第２隔壁７との間に区画Ｒ２が、第２隔壁よりも内側に区画Ｒ３が、それぞれ形成される。
【００２２】
また、図３に示すように、第１隔壁６の上流側の端部６１は、軸線Ｒに沿ってドラムスクリーン２の周壁の上流側端部２１よりも下流側に設けられる。さらに、第２隔壁７の上流側の端部７１は、軸線Ｒに沿って第１隔壁６の上流側の端部６１よりも下流側に設けられる。
【００２３】
第１導入管３は、区画Ｒ１へ汚泥を導入するための管である。また、第２導入管４は、区画Ｒ２へ汚泥を導入するための管であり、第３導入管５は、区画Ｒ３へ汚泥を導入するための管である。第１導入管３、第２導入管４及び第３導入管５は、混和槽８と連通するように取り付けられる。また、図３に示すように、第１導入管３、第２導入管４及び第３導入管５は、垂直方向（図１，３において上下方向）に沿って下からこの順となるように配置される。
【００２４】
第１導入管３の端面３１は、第１導入管３からの汚泥が区画Ｒ１へ導入されるように、ドラムスクリーン２の周壁の上流側の端部２１よりも下流側に設けられる。また、第２導入管４の端面４１は、第２導入管４からの汚泥が区画Ｒ２へ導入されるように、第１隔壁６の上流側の端部６１よりも下流側に設けられる。第３導入管５の端面５１は、第３導入管５からの汚泥が区画Ｒ３へ導入されるように、第２隔壁７の上流側の端部７１よりも下流側に設けられる。
【００２５】
上記のドラム濃縮機１では、不図示の駆動機構により、図１に示すように、ドラムスクリーン２、第１隔壁６及び第２隔壁７が回転させられると共に、混和槽８からの汚泥が第１導入管３、第２導入管４、及び第３導入管５を経由して、区画Ｒ１、区画Ｒ２、及び区画Ｒ３へそれぞれ導入される。導入された汚泥は、ドラムスクリーン２、第１隔壁６及び第２隔壁７の回転と、混和槽８からの更なる汚泥の導入により、区画Ｒ１、区画Ｒ２及び区画Ｒ３の内面下部を排出側に向かって通過する。
【００２６】
ここで、従来のドラム濃縮機１では、ドラムスクリーン２の内面下部を排出側に向かって通過しながらろ過部２ｃによりろ過されるが、導入された汚泥はドラムスクリーン２の周壁のみによりろ過されていた。これに対して、本実施形態に係るドラム濃縮機１によれば、区画Ｒ１〜Ｒ３のそれぞれに汚泥が導入されるため、ドラムスクリーン２の周壁（区画Ｒ１の周壁）、第１隔壁６（区画Ｒ２の周壁）、及び第２隔壁７（区画Ｒ３の周壁）と汚泥とが接触するようになる。第１隔壁６及び第２隔壁７はろ過機能を有することから、ドラムスクリーン２内部において汚泥のろ過に寄与する部材の総表面積が増加する。このように、本実施形態のドラム濃縮機１によれば、区画Ｒ２及び区画Ｒ３に導入された汚泥のろ過を第１隔壁６及び第２隔壁７で行うことができ、従来ドラムスクリーン２の周壁のみでろ過をしていた場合と比較して、ろ過効率の向上が達成される。
【００２７】
また、本実施形態に係るドラム濃縮機１では、区画Ｒ１〜Ｒ３へ汚泥を導入する第１導入管３、第２導入管４、及び第３導入管５が、個別に設けられている。したがって、各区画Ｒ１〜Ｒ３への汚泥の導入が効率よく行われ、ろ過効率の向上も好適に行われる。
【００２８】
さらに、本実施形態に係るドラム濃縮機１では、第１導入管３、第２導入管４、及び第３導入管５が上下方向に沿って別の高さ位置となるように配置されている。したがって、図１，３のように、混和槽内の汚泥の水面が第３導入管３よりも上方にある場合には、第１導入管３、第２導入管４、及び第３導入管５のすべてに汚泥が導入されることから、ドラムスクリーン２内の区画Ｒ１〜Ｒ３のすべてに汚泥が導入される。一方で、混和槽８内の汚泥が減少した場合には、例えば、第１導入管３と第２導入管４のみを汚泥が流れ、ドラムスクリーン２内の区画Ｒ１，Ｒ２のみに汚泥が導入される。このように、第１導入管３、第２導入管４、及び第３導入管５を上下方向に沿って別の高さ位置となるように配置をすることで、各区画への汚泥の導入量の調整を好適に行うことができる。また、汚泥の導入量は、第１導入管３、第２導入管４、及び第３導入管５の太さによっても調整が可能である。
【００２９】
なお、上記実施形態では、導入管が区画毎に設けられている構成について説明したが、各区画に対して導入管を設ける必要はなく、従来と同様に導入管を１つとしてもよい。この場合、ドラムスクリーン２の内部の仕切壁の上流側の端部の位置をドラムスクリーン２の周壁の上流側の端部及び混和槽８からの導入管の端面よりも下流側に設けることにより、汚泥の導入量に応じて汚泥を導入する区画及び導入量を変更することができる。具体的には、例えば、汚泥の導入量が少ない段階では区画Ｒ１のみが使用され、汚泥の導入量が増加すると、区画Ｒ２に対しても汚泥の導入が行われる。このように汚泥の導入量に応じた調整を好適に行うことができる。導入管を１つにする場合、内部の仕切壁は、上記実施形態の端部６１のように軸線Ｒに対して交差する面を設けずに、軸線Ｒ方向に沿って延びる部材のみで仕切壁を構成するほうが、各区画への汚泥の導入が好適に行われる。
【００３０】
以上、本発明の実施形態に係るドラム濃縮機１について説明したが、本発明は上記実施形態に限定されず、種々の変更を行うことができる。例えば、ドラムスクリーン２内部の仕切壁の配置は上記実施形態に限定されない。
【００３１】
図４は、ドラム濃縮機の第１の変形例を示す図であり、図２に対応する矢視図である。図４に示すドラム濃縮機１Ａでは、ドラムスクリーン２の内部が軸線Ｒ方向に沿って延びる平板状の２枚の平板隔壁９Ａ（第２の仕切壁）で区切られている。この平板隔壁９Ａは、ろ過機能を有する部材により形成されていればよい。そして、これらは軸線Ｒにおいて直交する構成となっていて、その結果、軸線方向に沿って見たときに断面が扇形状の４つの区画が形成される。
【００３２】
また、図５は、ドラム濃縮機の第２の変形例を示す図であり、図２に対応する矢視図である。図５に示すドラム濃縮機１Ｂでは、ドラムスクリーン２の内部が、軸線Ｒ方向に沿って延びて筒状形状をなす仕切壁９Ａと、平板状の４枚の仕切壁９Ｂとから構成される。仕切壁４Ｂは、隣接する仕切壁９Ａとのなす角が９０°となるように、仕切壁９Ａとドラムスクリーン２の内面とを繋ぐように設けられる。この仕切壁９Ａ及び９Ｂは、ろ過機能を有する部材により形成されていればよい。この結果、ドラムスクリーン２の内部は、軸線方向に沿って見たときに円形状をなす中央の区画と、その外周側の４つの区画とに分割される。
【００３３】
このように、ドラムスクリーン２の内部の区画の形状は特に限定されず、適宜変更することができる。すなわち、ドラムスクリーン２内部において汚泥が上流側から下流側へ移動する際に、汚泥と接触するろ過部材の総表面積が大きくなることがろ過効率向上において重要な点であって、内部に設けられた複数の区画の形状は特に限定されない。
【００３４】
また、上記実施形態では、ドラムスクリーン２及び内部の仕切壁について、軸線方向に延びるウェッジワイヤを多数並設することで形成されている場合について説明したが、例えば円環状をなすウェッジワイヤを軸線方向に沿って複数配置することでドラムスクリーン２形成してもよい。また、ドラムスクリーン２及び仕切壁は、例えば、パンチングメタルや、樹脂製のろ布等により形成されていてもよい。
【００３５】
また、ドラムスクリーン２内部に形成された複数の区画のそれぞれに対して汚泥を導入する導入管を備える場合、その配置は上記実施形態のように高さ位置をずらす必要はなく、例えば、同じ高さ位置に複数の導入管を配置する構成としてもよい。
【符号の説明】
【００３６】
１，１Ａ，１Ｂ…ドラム濃縮機、２…ドラムスクリーン、３〜５…導入管、６…第１隔壁（第１の仕切壁）、７…第２隔壁（第１の仕切壁）、８…混和槽、９Ａ…平板隔壁（第２の仕切壁）。
【図１】
2013208518.tif 000003
【図２】
2013208518.tif 000004
【図３】
2013208518.tif 000005
【図４】
2013208518.tif 000006
【図５】
2013208518.tif 000007